(57)【要約】【課題】装置を大型化することなく、円形に近い開口を得ることができる絞り装置を提供する。【解決手段】本発明に係る絞り装置１は、光束が通過する面上で同一直線上を互いに近接又は離間するスライド方向に移動して、絞り込み動作を実現する第１の絞り羽根２及び第２の絞り羽根３とを備えた絞り装置であって、第１の絞り羽根２は、光束が通過する開口（絞り）を当該第１の絞り羽根側から規定する第１の内側壁２３ｄを有し、第２の絞り羽根３は、光束が通過する絞りを当該第２の絞り羽根側から規定する第２の内側壁３３ｄを有し、絞り装置１は、さらに、第１の内側壁２３ｄと第２の内側壁３３ｄが交わる交点のうち少なくとも一つの交点の近傍を覆って光束が通過する開口を制限する第３の絞り羽根４を備えている。【選択図】図１
2012088593.tif 000002
【特許請求の範囲】
【請求項１】
光束が通過する面上で同一直線上を互いに近接又は離間するスライド方向に移動して、前記光束に対する絞り込み動作を実現する第１の絞り羽根及び第２の絞り羽根を備えた絞り装置であって、
前記第１の絞り羽根は、前記光束が通過する絞りを当該第１の絞り羽根側から規定する第１の内側壁を有し、
前記第２の絞り羽根は、前記絞りを当該第２の絞り羽根側から規定する第２の内側壁を有し、
当該絞り装置は、さらに、
前記第１の内側壁と前記第２の内側壁が交わる交点のうち少なくとも一つの交点の近傍を覆うことで、前記第１及び第２の内側壁で形成される開口を制限する第３の絞り羽根を備えた絞り装置。
【請求項２】
前記第１の内側壁は、前記第１の絞り羽根側から前記第２の絞り羽根側に向かって開口幅が大きくなるように形成された第１の絞り込み部を有し、
前記第２の内側壁は、前記第２の絞り羽根側から前記第１の絞り羽根側に向かって開口幅が大きくなるように形成された第２の絞り込み部を有する請求項１記載の絞り装置。
【請求項３】
前記絞りが開放状態の時、前記第３の絞り羽根は、前記交点の近傍を覆わずに前記交点より前記開口の外側に退避し、
前記第１の絞り羽根と前記第２の絞り羽根が互いに近接する方向に移動して所定の開口面積以下に絞り込まれた状態の時に、前記交点の近傍を覆う請求項１又は２記載の絞り装置。
【請求項４】
前記第３の絞り羽根は、前記スライド方向に移動する請求項１乃至３のいずれか１項に記載の絞り装置。
【請求項５】
前記第３の絞り羽根は、前記スライド方向における前記第２の絞り羽根と同じ側に位置し、前記スライド方向に移動する請求項１乃至４のいずれか１項に記載の絞り装置。
【請求項６】
前記第３の絞り羽根は、前記絞りを前記スライド方向に対して直交する幅方向から規定する第３の内側壁を有する請求項５記載の絞り装置。
【請求項７】
前記第３の内側壁で区画される開口の前記幅方向の寸法が、前記第１の側壁側に向かって大きくなっている請求項６の記載の絞り装置。
【請求項８】
前記第３の内側壁で区画される開口の前記幅方向の寸法が、前記第１の絞り羽根側に向かって段階的に大きくなっている請求項７記載の絞り装置。
【請求項９】
前記第１及び前記第２の絞り羽根を駆動させる第１の駆動機構と、
前記第３の絞り羽根を駆動させる第２の駆動機構と、
を備える請求項４乃至８のいずれか１項に記載の絞り装置。
【発明の詳細な説明】
【技術分野】
【０００１】
本発明は、絞り装置に関し、特に円形に近い開口を形成する絞り装置に関する。
【背景技術】
【０００２】
ビデオカメラ等の絞り装置の一種として、光軸を中心とする絞り用開口の内周囲に配置された複数枚の絞り羽根を利用した虹彩絞りがある（特許文献１を参照）。虹彩絞りは、木漏れ日等の高輝度な部分が存在する被写体を撮影する場合、絞りの開口形状が円形に近い。このため、より自然なボケ味を得られ、撮影画像の状態が良いとされている。
【０００３】
一方、切り欠き部を有する二枚の絞り羽根（第１の絞り羽根、第２の絞り羽根）を、光軸に直交する面上であって同一直線上を近接し、又は離間する方向に平行移動させる絞り装置が開示されている（特許文献２乃至４を参照）。この絞り装置では、２つの絞り羽根の切り欠き部同士で開口を形成している。このような絞り装置は、二枚の絞り羽根で開口を形成できるので、絞り装置の簡素化と小型化を図ることが可能となる。ところが、切り欠き部の形状が略三角形状であるため、当該開口の形状を円形とすることが困難である。例えば、開口が四角形に近くなってしまうため、背景に木漏れ日等の高輝度部分が存在する被写体では、菱形に近い形状でボケが生じてしまう。従って、不自然な画像になってしまうという課題がある。
【０００４】
このような課題を解決する技術が特許文献５に開示されている。特許文献５に開示された絞り装置では、切り欠き部を有する二枚の絞り羽根（第１の絞り羽根、第２の絞り羽根）に加えて、さらにもう一枚の絞り羽根（第３の絞り羽根）が設けられている。第３の絞り羽根は、第１及び第２の絞り羽根が当該開口を形成した際に、当該開口の一部を覆う。
【先行技術文献】
【特許文献】
【０００５】
【特許文献１】特開２００９−１１５８３１号公報
【特許文献２】特開２００２−３５７８５７号公報
【特許文献３】特開２００２−１８２２６４号公報
【特許文献４】特開２０００−１１１９７０号公報
【特許文献５】特開昭６２−１０３６２３号公報
【発明の概要】
【発明が解決しようとする課題】
【０００６】
特許文献５に開示された絞り装置を詳細に説明する。この絞り装置は、第１の絞り羽根と第２の絞り羽根とを互いに近接する方向に移動させて開口を形成している。さらに、開口が大きい状態、すなわち、第１及び第２の絞り羽根が離れた状態で、一方の絞り羽根の切り欠き部の移動方向における端部近傍を第３の絞り羽根で覆っている。このようにすることで、当該開口を五角形状以上の多角形状として円形に近づけることができる。
【０００７】
このときの開口の形状を図１２、及び図１３に模式的に示す。図１２は、第１の絞り羽根１０１と第２の絞り羽根１０２の切り欠き部の頂角を直角より十分小さい角度の鋭角に形成した例を示す図である。図１２に示すように、第１の絞り羽根の切り欠き部と第２の絞り羽根の切り欠き部とで形成される開口は移動方向（図１２中の矢印方向）に長い菱形となる。そして、第３の絞り羽根で覆われる部分は、図１２の斜線部のようになる。絞り羽根１０１、１０２の切り欠き部の移動方向における端部（図１２の斜線部分）を第３の絞り羽根で覆っている。このようにすることで、絞りを円形に近づけることができる。しかし、第１及び第２の絞り羽根が移動方向に大型化する課題を有する。
【０００８】
一方、第１の絞り羽根１０１と第２の絞り羽根１０２の切り欠き部の頂角を直角より十分大きい角度の鈍角に形成した例を図１３に示す。この構成では、第１及び第２の絞り羽根を移動方向に小型化することができる。しかし、第１の絞り羽根の切り欠き部と第２の絞り羽根の切り欠き部とで形成される開口がひしゃげた形状になる課題を有する。
【０００９】
本発明の目的は、上述した課題を解決するためになされたものであり、装置を大型化することなく、円形に近い開口を得ることができる絞り装置を提供することにある。
【課題を解決するための手段】
【００１０】
本発明に係る絞り装置は、光束が通過する面上で同一直線上を互いに近接又は離隔するスライド方向に移動して、前記光束に対する絞り込み動作を実現する第１の絞り羽根及び第２の絞り羽根とを備えた絞り装置であって、前記第１の絞り羽根は、前記光束が通過する絞りを当該第１の絞り羽根側から規定する第１の内側壁を有し、前記第２の絞り羽根は、前記光束が通過する絞りを当該第２の絞り羽根側から規定する第２の内側壁を有し、当該絞り装置は、さらに、前記第１の内側壁と前記第２の内側壁が交わる交点のうち少なくとも一つの交点の近傍を覆うことで、前記光束が通過する開口を制限する第３の絞り羽根を備えたものである。
前記第１の内側壁は、前記第１の絞り羽根側から前記第２の絞り羽根側に向かって開口幅が大きくなるように形成された第１の絞り込み部を有し、前記第２の内側壁は、前記第２の絞り羽根側から前記第１の絞り羽根側に向かって開口幅が大きくなるように形成された第２の絞り込み部を有する、ことが好ましい。
前記第３の絞り羽根は、絞りが開放状態のときは、前記交点の近傍を覆わずに前記交点より前記開口の外側に退避し、前記第１の絞り羽根と前記第２の絞り羽根が互いに近接する方向に移動して所定の開口面積以下に絞り込まれた状態の時に、前記交点の近傍を覆うこと、が好ましい。
前記第３の絞り羽根は、前記スライド方向に移動すること、が好ましい。
前記第３の絞り羽根は、前記スライド方向における前記第２の絞り羽根と同じ側に位置し、前記スライド方向に移動する、ことが好ましい。
前記第３の絞り羽根は、前記光束が通過する開口（絞り）を前記スライド方向に対して直交する幅方向から規定する第３の内側壁を有することが、好ましい。
前記第３の内側壁は、前記第１の絞り羽根側に向かって開口幅が大きくなるように形成されていることが好ましい。
前記第３の内側壁は、前記第１の絞り羽根側に向かって開口幅が段階的に大きくなるように形成されていることが好ましい。
前記第１及び前記第２の絞り羽根を駆動させる第１の駆動機構と、前記第３の絞り羽根を駆動させる第２の駆動機構と、を備えること、が好ましい。
【発明の効果】
【００１１】
本発明によれば、装置を大型化することなく、円形に近い開口を得ることができる絞り装置を提供することができる。
【図面の簡単な説明】
【００１２】
【図１】本発明の実施の形態１の絞り装置を概略的に示す分解斜視図である。
【図２】第１の絞り羽根と第２の絞り羽根が最も離れた状態の絞り装置を示す平面図である。
【図３】本発明の実施の形態１の絞り装置を概略的に示す側面図である。
【図４】（ａ）〜（ｄ）は、本発明の実施の形態１の絞り装置において、絞りが全開した状態から絞り込まれていく過程の前半部分の第１乃至第３の絞り羽根の動作を示す図である。
【図５】（ａ）〜（ｄ）は、本発明の実施の形態１の絞り装置において、絞りが全開した状態から絞り込まれていく過程の後半部分の第１乃至第３の絞り羽根の動作を示す図である。
【図６】第３の絞り羽根が開口を覆う様子を拡大して示す平面図である。
【図７】第１の絞り羽根の切り欠き部における絞り込み部の頂部を拡大して示す図である。
【図８】（ａ）〜（ｄ）は、本発明の実施の形態２の絞り装置において、絞りが開放した状態から絞り込まれていく過程の前半部分の第１乃至第３の絞り羽根の動作を示す図である。
【図９】（ａ）〜（ｃ）は、本発明の実施の形態２の絞り装置におけて、絞りが開放した状態から絞り込まれていく過程の後半部分の第１乃至第３の絞り羽根の動作を示す図である。
【図１０】（ａ）〜（ｃ）は、本発明の実施の形態３の絞り装置におけて、絞りが開放した状態から絞り込まれていく過程の前半部分の第１乃至第３の絞り羽根の動作を示す図である。
【図１１】（ａ）〜（ｃ）は、本発明の実施の形態３の絞り装置におけて、絞りが開放した状態から絞り込まれていく過程の後半部分の第１乃至第３の絞り羽根の動作を示す図である。
【図１２】従来技術の課題を説明する図である。
【図１３】従来技術の課題を説明する図である。
【発明を実施するための形態】
【００１３】
本発明の実施の形態に係る絞り装置について説明する。但し、本発明が以下の実施の形態に限定される訳ではない。また、説明を明確にするため、以下の記載及び図面は、適宜、簡略化されている。
【００１４】
＜実施の形態１＞
まず、図１を用いて、本実施の形態に係る絞り装置の全体構成について説明する。図１は、本発明の実施の形態１に係る絞り装置１を概略的に示す分解斜視図である。また、図１の説明において、適宜図２、及び図３を参照する。図２は、絞り装置１の全体構成を示す平面図であり、図３は、側面図である。なお、以下の説明では、必要に応じて、ＸＹＺの３次元直交座標系を用いて説明する。また、直交座標系の＋Ｚ方向を上方向、−Ｚ方向を下方向、＋Ｘ方向を前方向、−Ｘ方向を後方向、＋Ｙ方向を右方向、−Ｙ方向を左方向として説明する。但し、以下の説明での前後、左右、上下方向は、説明を明瞭にするために定義するものであり、絞り装置の機器への搭載条件によって変わる。
【００１５】
本実施の形態の絞り装置１は、例えばビデオカメラ等の露光調整が必要な機器（図示を省略）に搭載される。絞り装置１は、図１に示すように、第１の絞り羽根２、第２の絞り羽根３、第３の絞り羽根４、第１の地板５、第２の地板６、第１の駆動機構７、第２の駆動機構８を備える。
【００１６】
絞り装置１は、上方から下方に向かって第１の駆動機構７、第１の地板５、第１の絞り羽根２、第２の絞り羽根３、第３の絞り羽根４、第２の地板６、第２の駆動機構８の順で配置されている（図３も合わせて参照）。第１の絞り羽根２、第２の絞り羽根３、第３の絞り羽根４、第１の地板５、及び第２の地板６のそれぞれは、板状部材であり、それらの主面がＺ方向と垂直になるように配置される。そして、第１の地板５、第１の絞り羽根２、第２の絞り羽根３、第３の絞り羽根４、第２の地板６、が重なり合った状態で配置される。なお、機器に搭載された状態では、通常、搭載される機器の光学系の光軸がＺ方向と平行になる。第１の絞り羽根２、第２の絞り羽根３、第３の絞り羽根４がＸ方向に移動することで、絞りの大きさが変化する。
【００１７】
第１の地板５は、円形の光路開口孔５１が形成された板状部材である。光路開口孔５１が開放状態時の絞りを規定する。ＸＹ平面において、光軸が通過する点を絞りの中心点Ｏとする。ＸＹ平面において、円形の光路開口孔５１の中心は、中心点Ｏと一致する。第２の地板６も、第１の地板５と同様に、光路開口孔６１を有する板状部材である。ＸＹ平面において、光路開口孔６１の中心は、中心点Ｏと一致する。光路開口孔５１と光路開口孔６１とは、等しい直径とされている。これらの第１の地板５と第２の地板６との間に、第１乃至第３の絞り羽根２乃至４が配置される。
【００１８】
第１の絞り羽根２は、第１及び第２の地板５、６の光路開口孔５１、６１より後方領域（−Ｘ側）に配置されている。第１の絞り羽根２は、切り欠き部２３が形成された板状部材である。切り欠き部２３の左右の幅寸法は、第１及び第２の地板５、６の光路開口孔５１、６１に向かって大きくなっている。
【００１９】
第２の絞り羽根３は、第１及び第２の地板５、６の光路開口孔５１、６１より前方領域（＋Ｘ側）に配置されている。第２の絞り羽根３は、切り欠き部３３が形成された板状部材である。切り欠き部３３の左右の幅寸法は、第１及び第２の地板５、６の光路開口孔５１、６１に向かって大きくなっている。切り欠き部２３と切り欠き部３３とが、対向するように、第１の絞り羽根２と第３の絞り羽根３とが配置されている。Ｚ方向から見ると、切り欠き部２３と切り欠き部３３とが、重なり合って、開口を形成する（図２を合わせて参照）。なお、以下の説明において、特に言及のない場合、開口とは、切り欠き部２３と切り欠き部３３とが形成する開口を意味する。
【００２０】
これらの第１及び第２の絞り羽根２、３は、第１の駆動機構７によって、互いに近接する、又は離間する方向に前後（Ｘ方向）に移動する。第１の絞り羽根２と第２の絞り羽根３とが互いに近接方向に移動すると、第１の絞り羽根２の切り欠き部２３と第２の絞り羽根３の切り欠き部３３とで形成される開口が徐々に小さくなっていく。第１の絞り羽根２において切り欠き部２３を区画する左右両側の部分と第２の絞り羽根３において切り欠き部３３を区画する左右両側の部分とで、第１及び第２の地板５、６の光路開口孔５１、６１の一部が覆われる。従って、光束が通過する絞りを小さくする時は、第１の絞り羽根２と第２の絞り羽根３を近づけていく。具体的には、第１の絞り羽根２を前方向（＋Ｘ方向）に移動し、第２の絞り羽根３を後方向（−Ｘ方向）に移動する。これにより、切り欠き部２３と切り欠き部３３とで形成される開口が小さくなる。一方、光束が通過する絞りを大きくする時は、第１の絞り羽根２と第２の絞り羽根３を遠ざけていく。具体的には、第１の絞り羽根２を後方向（−Ｘ方向）に移動し、第２の絞り羽根３を前方向（＋Ｘ方向）に移動する。これにより、切り欠き部２３と切り欠き部３３とで形成される開口が大きくなる。このように、第１及び第２の絞り羽根２、３は、ＸＹ面上で同一直線上を互いに近接又は離間するスライド方向に移動して、光束に対する絞り込み動作を実現する。
【００２１】
第３の絞り羽根４は、第１及び第２の地板５、６の光路開口孔５１、６１より前方領域（＋Ｘ側）に配置されている。第３の絞り羽根４は、切り欠き部４３が形成された板状部材である。切り欠き部４３の左右の幅寸法は、第１及び第２の地板５、６の光路開口孔５１、６１に向かって大きくなっている。第３の絞り羽根４は、第２の駆動機構８によって、前後方向（Ｘ方向）に移動する。第３の絞り羽根４は、第１の絞り羽根２の切り欠き部２３と第２の絞り羽根３の切り欠き部３３とで形成される開口の一部を覆う。こうすることで、開口の扁平度（ここで、扁平度とは、開口の前後方向の幅寸法に対する左右方向の幅寸法の比率である。）が大きくならないようにすることができる。具体的には、第３の絞り羽根４において切り欠き部４３を区画する左右両側の部分で、当該開口の左右の頂部を覆う。すなわち、第３の絞り羽根４が、Ｙ方向における開口の端部を覆う。このようにすることで、後に詳述するように、円形に近い開口を、簡易な構造で得ることができる。
【００２２】
以下に、絞り装置１の各部品の具体的な構成を説明する。
【００２３】
（第１の絞り羽根２）
第１の絞り羽根２は、本体部２１、アーム部２２を有している。本体部２１の前方側（＋Ｘ側）の端部には、切り欠き部２３が形成されている。ここで、絞り装置１の左右方向（Ｙ方向）の中心を示す線を中心線Ｎとする。中心線Ｎは、中心点Ｏを通り、Ｘ方向に平行な直線である。切り欠き部２３は、中心線Ｎに対して線対称とされている。また、切り欠き部２３は、ストレート部２３ａ、絞り込み部２３ｂを有している。ストレート部２３ａは、絞り込み部２３ｂの前方（＋Ｘ側）に配置される。左右方向（Ｙ方向）における、ストレート部２３ａの左右の幅寸法Ｔ１は一定となっている。幅寸法Ｔ１は、第１及び第２の地板５、６の光路開口孔５１、６１の直径より大きい。そして、ストレート部２３ａは、図２に示す第１の絞り羽根２と第２の絞り羽根３とが最も離れた状態において、第２の絞り羽根３との重なり合いを実現できる長さを有する。
【００２４】
図１に示すように、絞り込み部２３ｂは、略二等辺三角形状とされている。絞り込み部２３ｂの後端部分（−Ｘ側端部）は、頂部が鈍角とされている。絞り込み部２３ｂは、中心線Ｎに対して、線対称となっている。絞り込み部２３ｂでは、前方向（＋Ｘ側）における左右の幅寸法が最も大きく、後方向（−Ｘ側）に向かうにつれて、左右の幅寸法が小さくなっていく。
また、第１の絞り羽根２において切り欠き部２３を区画する側面を内側壁２３ｄとする。内側壁２３ｄは、第１の絞り羽根２の端面であり、絞り込み部２３ｂからストレート部２３ａまで延在している。Ｚ方向から見た時、絞り込み部２３ｂにおける内側壁２３ｄは、Ｘ方向、及びＹ方向から傾斜して形成される。内側壁２３ｄは、光束が通過する絞りを第１の絞り羽根２側から規定する
【００２５】
本体部２１の後方側（−Ｘ側）の端部には、アーム部２２が設けられている。アーム部２２は、本体部２１から後方に突出している。アーム部２２は、本体部２１の角部から突出する。本実施の形態のアーム部２２は、本体部２１の左側（−Ｙ側）の角部から突出する。アーム部２２の先端部は、左側（−Ｙ側）に突出する突出部２４を備える。この突出部２４は、左右方向（Ｙ方向）を長手方向とする長孔２５を備える。
【００２６】
（第２の絞り羽根３）
【００２７】
第２の絞り羽根３は、第１の絞り羽根２と同様に、本体部３１、アーム部３２を有している。本体部３１の後方側（−Ｘ側）の端部には、切り欠き部３３が形成されている。第１の絞り羽根２の切り欠き部２３と第２の絞り羽根３の切り欠き部３３とは、前後方向（Ｘ方向）に向かい合う。
【００２８】
切り欠き部３３は、絞り装置１の中心線Ｎに対して線対称とされている。切り欠き部３３は、ストレート部３３ａ、絞り込み部３３ｂを有している。ストレート部３３ａの左右の幅寸法Ｔ２は一定となっている。幅寸法Ｔ２は、第１及び第２の地板５、６の光路開口孔５１、６１の直径より大きい。本実施の形態では、幅寸法Ｔ２は、ストレート部２３ａの幅寸法と等しくなっている。そして、ストレート部３３ａは、第１の絞り羽根２と第２の絞り羽根３とが最も離れた状態において、第１の絞り羽根２との重なり合いを実現できる長さを有する。
【００２９】
絞り込み部３３ｂの形状は、第１の絞り羽根２における切り欠き部２３の絞り込み部２３ｂとほぼ等しい。つまり、絞り込み部３３ｂは、略二等辺三角形状である。絞り込み部３３ｂの前端部分（＋Ｘ側端部）は、頂部が鈍角とされている。絞り込み部３３ｂは、中心線Ｎに対して、線対称となっている。従って、絞りを小さくした際に、第２の絞り羽根３の切り欠き部３３と、第１の絞り羽根２の切り欠き部２３とで形成される開口を、良好な形状にすることができる。但し、絞り込み部２３ｂと絞り込み部３３ｂの先端部分の形状は、特に限定されるものではない。絞り込み部３３ｂと絞り込み部２３ｂとで、円形に近い開口を形成することができる形状となるよう、絞り込み部２３ｂと絞り込み部３３ｂの頂部の形状を設定することが好ましい。
【００３０】
また、第２の絞り羽根３において切り欠き部３３を区画する側面を内側壁３３ｄとする。内側壁３３ｄは、第２の絞り羽根３の端面であり、絞り込み部３３ｂからストレート部３３ａまで延在している。Ｚ方向から見た時、絞り込み部３３ｂにおける内側壁３３ｄは、Ｘ方向、及びＹ方向から傾斜して形成される。内側壁３３ｄは、光束が通過する絞りを第２の絞り羽根３側から規定する
【００３１】
本体部３１の後方側（−Ｘ側）の端部には、アーム部３２が設けられている。アーム部３２は、本体部３１から後方（−Ｘ側）に突出する。アーム部３２は、本体部３１の角部から突出する。本実施の形態のアーム部３２は、本体部３１の右側（＋Ｙ側）の角部から突出する。つまり、第１の絞り羽根２のアーム部２２と第２の絞り羽根３のアーム部３２とは、中心線Ｎを挟んで対向配置されている。アーム部３２の端部は、右側（＋Ｙ側）に突出する突出部３４を備える。この突出部３４は、左右方向（Ｙ方向）を長手方向とする長孔３５を備える。
【００３２】
（第３の絞り羽根４）
【００３３】
第３の絞り羽根４は、本体部４１、アーム部４２を有している。本体部４１の後方側（−Ｘ側）の端部には、切り欠き部４３が形成される。切り欠き部４３は、図１に示すように、台形形状に形成されている。切り欠き部４３は、中心線Ｎを軸に対して線対称になっている。切り欠き部４３の幅寸法Ｔ３は、後方（−Ｘ側）に向かって大きくなる。切り欠き部２３、３３で形成される開口は、扁平な多角形状となるが、第３の絞り羽根４はこの開口における左右の頂部を覆う。第３の絞り羽根４の切り欠き部４３を区画する左右両側の部分で開口の一部を覆う。
【００３４】
また、第３の絞り羽根４の切り欠き部４３を区画する側面を第３の内側壁４３ｆとする。第３の内側壁４３ｆは、第３の絞り羽根４の端面である。内側壁４３ｆは、光束が通過する絞りを左右方向（Ｙ方向）から規定する。内側壁４３ｆで区画される切り欠き部４３の左右の幅寸法は、第１の絞り羽根側（−Ｘ側）に向かって徐々に大きくなっている。
【００３５】
本体部４１の後方側（−Ｘ側）の端部には、アーム部４２が設けられている。アーム部４２は、本体部４１から後方（−Ｘ側）に突出する。アーム部４２は、本体部４１の角部から突出する。本実施の形態のアーム部４２は、本体部４１の右側（＋Ｙ側）の角部から突出する。アーム部４２の端部は、左側（−Ｙ側）に突出する突出部４４を備える。この突出部４４は、左右方向（Ｙ方向）を長手方向とする長孔４５を備える。
【００３６】
（第１の地板５）
第１の地板５は、絞り装置１のフレームを成す板状部材である。第１の地板５は、長孔５２、５３を備える。長孔５２、５３には、第１の駆動機構７のアーム部７１の両端部に設けられたピン７２、７３が挿入される。例えば、図２に示す矢印Ａ方向、又は矢印Ｂ方向に第１の駆動機構７がアーム部７１を回転させることで、第１の絞り羽根２と第２の絞り羽根３が近接又は離間するように、スライド移動する。なお、長孔５２、５３は第１の地板５がピン７２、７３と干渉しない形状、大きさに形成されている。例えば、アーム部７１の回転によって、ピン７２、７３が円弧状に移動する。従って、長孔５２、５３は、前後方向（Ｘ方向）に延びた円弧状に形成されている。また、長孔５２、５３は、第１及び第２の絞り羽根２、３に必要なスライド量を確保できる長さになっている。すなわち、第１の絞り羽根２と第２の絞り羽根３とが互いに最も離れた位置から、最も近づいた位置に移動するように、アーム部７１が回転したとしても、ピン７２、７３が第１の地板５と干渉しないように、長孔５２、５３は十分な長さを有している。
【００３７】
第１の地板５は、さらに、長孔５４を有している。長孔５４には、第２の駆動機構８のアーム部８１の端部に設けられるピン８２が挿入される。後述するように、第２の駆動機構８がアーム部８１を回転させることで、第３の絞り羽根４がスライド移動する。長孔５４は、ピン８２と干渉しないような形状、大きさで形成されている。すなわち、長孔５４は、長孔５２、５３と同様に、円弧状に形成され、十分な長さを有している。
【００３８】
（第２の地板６）
第２の地板６も、第１の地板５と同様に、絞り装置１のフレームを成す板状部材である。第１の地板５と第２の地板６は、第１乃至第３の絞り羽根２乃至４を上下に挟み込む。第２の地板６は、第１の地板５と略等しい大きさを有する。さらに、ＸＹ平面において、第２の地板６と第１の地板５は、略同じ位置に配置される。第２の地板６は、円形の光路開口孔６１を備える。光路開口孔６１は、第１の地板５の光路開口孔５１と同じ大きさに形成され、ＸＹ平面において、中心が一致している。
【００３９】
第２の地板６は、長孔６２を備える。長孔６２には、第２の駆動機構８のアーム部８１の端部に設けられるピン８２が挿入されている。例えば、図２に示す矢印Ｃ方向、矢印Ｄ方向に、第２の駆動機構８がアーム部８１を回転させることで、第３の絞り羽根４は、前後方向（Ｘ方向）にスライド移動する。長孔６２は、第２の地板６とピン８２とが干渉しないような大きさ、形状で形成されている。長孔６２は、第１の地板５の長孔５４と略同一形状に形成され、ＸＹ平面における位置が略一致している。
【００４０】
第１の地板５と第２の地板６は、例えば、図２に示すような初期状態において、ＸＹ平面視で、第１乃至第３の絞り羽根２乃至４が第２の地板６内に収まる大きさとなっている。なお、ここでは、第１の絞り羽根２と第２の絞り羽根３とが最も離れ、且つ第３の絞り羽根４が最も前方側（＋Ｘ側）に配置される状態を初期状態としている。
【００４１】
（第１の駆動機構７）
第１の駆動機構７は、第１の絞り羽根２と第２の絞り羽根３とを互いに近づくよう（近接方向）に、又は互いに遠ざかるよう（離間方向）に移動させる駆動力を、第１及び第２の絞り羽根２、３に与える。第１の駆動機構７は、アーム部７１、ピン７２及び７３、駆動モータ７４を備える。
【００４２】
アーム部７１は、第１の地板５の上方（＋Ｚ側）に配置される。アーム部７１の中央部は、図２に示すように、中心線Ｎ上に配置される。アーム部７１は、第１の地板５に回転可能に連結されている。例えば、図示は省略したが、アーム部７１の中央部から下方に向かってピンが突出しており、当該ピンが第１の地板５に形成した嵌合孔に回転可能に挿入される。さらにアーム部７１の中央部には、連結孔７１ａを備える。この連結孔７１ａに、駆動モータ７４の回転軸７４ａが連結される。従って、駆動モータ７４が駆動すると、アーム部７１が回転する。
【００４３】
アーム部７１の両端部には、ピン７２、７３が形成されている。ピン７２、７３は、アーム部７１から下方（−Ｚ方向）に向かって突出する。ピン７２は、第１の地板５の長孔５２を介して第１の絞り羽根２の長孔２５に挿入される。ピン７３は、第１の地板５の長孔５３を介して第２の絞り羽根３の長孔３５に挿入される。
【００４４】
このとき、ピン７２は、図２に示す第１の絞り羽根２と第２の絞り羽根３とが最も離れた状態において、第１の地板５の長孔５２における後方（−Ｘ側）の端部に位置し、且つ第１の絞り羽根２の長孔２５における右側（＋Ｙ側）の端部に位置する。そして、アーム部７１が回転していくと、長孔５２、及び長孔２５におけるピン７２の位置が変化する。例えば、アーム部７１が矢印Ｂ方向に回転するにつれて、ピン７２が長孔５２の前方（＋Ｘ側）に移動する。ピン７２は、長孔５２中に挿入されているため、ピン７２がＸ方向に移動することで、第１の絞り羽根２がスライド移動する。なお、長孔５２中におけるピン７２の位置の変化については後述する。
【００４５】
ピン７３は、図２に示す第１の絞り羽根２と第２の絞り羽根３とが最も離れた状態において、第１の地板５の長孔５３における前方（＋Ｘ側）の端部に位置し、且つ第２の絞り羽根３の長孔３５における左側（−Ｙ側）の端部に位置する。そして、第２の絞り羽根３が後方（−Ｘ側）に移動していくと、長孔５３、及び長孔３５におけるピン７３の位置が変化する。例えば、アーム部７１が矢印Ｂ方向に回転するにつれて、ピン７３が長孔５３の後方（−Ｘ側）に移動する。ピン７３は、長孔５３中に挿入されているため、ピン７３がＸ方向に移動することで、第２の絞り羽根３がスライド移動する。なお、長孔５３中におけるピン７３の位置の変化については後述する。
【００４６】
駆動モータ７４は、絞り装置１が搭載される機器の制御装置（図示を省略）からの制御信号に基づいて制御される。駆動モータ７４の回転軸７４ａは、アーム部７１の連結孔７１ａに嵌合されている。駆動モータ７４を回転駆動させると、第１の絞り羽根２と第２の絞り羽根３とは互いに近づくよう（近接方向）に、又は互いに遠ざかるよう（離間方向）に移動する。
【００４７】
（第２の駆動機構８）
第２の駆動機構８は、第３の絞り羽根４を前後方向（Ｘ方向）に移動させる駆動力を、第３の絞り羽根４に与える。第２の駆動機構８は、アーム部８１、ピン８２、駆動モータ８３を備える。
【００４８】
アーム部８１は、第２の地板６の下方（−Ｚ側）に配置される。アーム部８１の一端部は、第２の地板６に回転可能に連結されている。例えば、図示は省略したが、アーム部８１の端部には、上方（＋Ｚ側）に突出したピンが形成されており、当該ピンが第２の地板６に形成した嵌合孔に回転可能に挿入される。アーム部８１の端部には、連結孔８１ａが形成されている。連結孔８１ａは、駆動モータ８３の回転軸８３ａに連結される。従って、駆動モータ８３が駆動すると、アーム部８１が回転する。
【００４９】
アーム部８１の他端部には、上方（＋Ｚ側）に向かって突出するピン８２が形成されている。ピン８２は、第２の地板６の長孔６２を介して、第３の絞り羽根４の長孔４５に挿入されている。ちなみに、本実施の形態のピン８２は、第１の地板５の長孔５４にも挿入されている。これにより、ピン８２が振られることなく、第３の絞り羽根４を精度良く移動させることができる。
【００５０】
このとき、ピン８２は、図２に示す第１の絞り羽根２と第２の絞り羽根３とが最も離れた状態において、第１及び第２の地板５、６の長孔５４、６２における後側（−Ｘ側）の端部に位置し、且つ第３の絞り羽根４の長孔４５における左側（−Ｙ側）の端部に位置する。そして、絞りを絞る方向に第３の絞り羽根４を移動させていくと、長孔５４、６２、４５中における、ピン８２の位置が変化する。例えば、アーム部８１が矢印Ｄ方向に回転するにつれて、ピン８２が長孔５４、６２の後方（−Ｘ側）に移動する。ピン８２は、長孔４５中に挿入されているため、ピン８２がＸ方向に移動することで、第３の絞り羽根４がスライド移動する。なお、長孔４５中におけるピン８２の位置の変化については後述する。
【００５１】
次に、絞り装置１の絞り動作について、図４及び図５を用いて説明する。図４、及び図５は、絞り装置１の動作を示す平面図である。図４（ａ）は、絞りの全開状態を示し、図５（ｄ）が絞りの全閉状態を示している。例えば、全開状態から全閉状態と移行させる場合、図４（ａ）→図４（ｂ）→図４（ｃ）→図４（ｄ）→図５（ａ）→図５（ｂ）→図５（ｃ）→図５（ｄ）と順番に移行していく。
【００５２】
先ず、絞り装置１が搭載される機器の電源がＯＦＦの状態では、図４（ａ）に示す全開状態となっている。図４（ａ）の全開状態は、図２と同じ状態であり、第１の駆動機構７のアーム部７１は最も矢印Ａ方向に回転した状態となっている。また、第１の絞り羽根２と第２の絞り羽根３とは最も離れた位置に配置される。そして、第２の駆動機構８のアーム部８１は最も矢印Ｃ方向に回転した状態であって、第３の絞り羽根４の切り欠き部４３の前端部４３ａが第１及び第２の地板５、６の光路開口孔５１、６１の周縁から最も離れた状態である。
【００５３】
当該電源がＯＦＦの状態からＯＮの状態となると、第１及び第２の駆動機構７、８の駆動モータ７４、８３が制御され、図４（ａ）に示す状態から図４（ｂ）に示す状態に移行する。第１の駆動機構７のアーム部７１は矢印Ｂ方向に回転して、第１の絞り羽根２と第２の絞り羽根３とが互いに近づく方向に移動する。そして、図４（ｂ）に示すように、第１及び第２の絞り羽根２、３の絞り込み部２３ｂ、３３ｂの側縁が第１及び第２の地板５、６の光路開口孔５１、６１の周縁に到達する直前の状態となる。開口が光路開口孔５１、６１よりも大きくなっているため、第１の絞り羽根２と第２の絞り羽根３が光路開口孔５１、６１を全く覆っていない。図４（ｂ）に示す状態は、絞りが光路開口孔５１、６１と同じ大きさとなる開放状態となっている。また、第１の絞り羽根２の絞り込み部２３ｂと、第２の絞り羽根３の絞り込み部３３ｂとは、ほぼ等しい形状とされている。このため、開口は、直線Ｌ１を軸として対称な多角形を形成する。なお、直線Ｌ１は、中心点Ｏを通り、Ｙ方向に平行な直線である。第３の絞り羽根４は、図４（ａ）の位置で静止している。図４（ｂ）に示す状態において、ピン８２は、図１で示した長孔５４、６２における前端部（＋Ｘ側の端部）に位置し、且つ第３の絞り羽根４の長孔４５における左側の端部に位置する。
【００５４】
図４（ｂ）から第１の駆動機構７のアーム部７１をさらに矢印Ｂ方向に回転させる。これにより、第１の絞り羽根２と第２の絞り羽根３とが互いに近づく方向に移動して、図４（ｃ）に示す状態となる。第１及び第２の絞り羽根２、３において絞り込み部２３ｂ、３３ｂを区画する左右両側の部分で光路開口孔５１、６１の一部を覆う。すなわち、図４（ｂ）に示す開放状態から、第１の絞り羽根２と第２の絞り羽根３が絞りを制限する状態となる。ＸＹ平面において、絞り込み部２３ｂの内側壁２３ｄと絞り込み部３３ｂの内側壁３３ｄとが交差する。絞り込み部２３ｂの内側壁２３ｄと絞り込み部３３ｂの内側壁３３ｄとの交点は、直線Ｌ１上に位置する。さらに、ＸＹ面において、内側壁２３ｄと内側壁３３ｄとが、光路開口孔５１、６１の周縁と交差する。なお、左右方向（Ｙ方向）における開口の端部は、光路開口孔５１、６１よりも外側に配置される。従って、図４（ｃ）の状態では、直線Ｌ１上における絞りの端部は、第１及び第２の地板５、６で規定される。
【００５５】
なお、図４（ｃ）に示す状態が、第１の絞り羽根２と第２の絞り羽根３とのスライド移動の中間位置となる。図４（ｃ）に示す状態において、ピン７２は、図１に示した長孔５２における中間部に位置し、且つ長孔２５における中間部に位置する。また、図４（ｃ）に示す状態において、ピン７３は、図１で示した長孔５３における中間部に位置し、且つ第２の絞り羽根３の長孔３５における中間部に位置する。
【００５６】
図４（ｃ）示す状態から、第１の駆動機構７のアーム部７１をさらに矢印Ｂ方向に回転させる。これにより、第１の絞り羽根２と第２の絞り羽根３とが互いに近づく方向に移動して、図４（ｄ）に示す状態となる。第１及び第２の絞り羽根２、３が光路開口孔５１、６１の周縁全体を覆う。切り欠き部２３と切り欠き部３３とで形成される多角形の開口が、光路開口孔５１、６１よりも小さくなる。これにより、第１の絞り羽根２と第２の絞り羽根３のみで、絞りが規定される。また、開口の前後方向（Ｘ方向）の幅寸法と左右方向（Ｙ方向）の幅寸法とが略等しくなる。
【００５７】
図４（ｄ）に示す状態から、第１の駆動機構７のアーム部７１をさらに矢印Ｂ方向に回転させる。これにより、第１の絞り羽根２と第２の絞り羽根３とが互いに近づく方向に移動する。このとき、絞り込み部２３ｂ、３３ｂで形成される開口は、左右方向（Ｙ方向）に扁平な多角形状となる。そこで、アーム部７１の回転に合わせて、第２の駆動機構８のアーム部８１を矢印Ｄ方向に回転させる。これにより、第３の絞り羽根４が後方（−Ｘ側）に移動して、図５（ａ）に示す状態となる。このとき、絞り込み部２３ｂ、３３ｂで形成される開口の前後の幅寸法と左右の幅寸法とが略等しくなるように、第３の絞り羽根４が開口の一部を覆う。具体的には、第３の絞り羽根４において切り欠き部４３を区画する左右両側の部分で、当該開口の左右の頂部を覆う。
【００５８】
このように、絞りが図４（ｂ）に示した開放状態のときは、第３の絞り羽根４は、内側壁２３ｄと内側壁３３ｄの交点近傍を覆わずに交点より開口の外側に退避している。そして、第１の絞り羽根２と第２の絞り羽根３が互いに近接する方向に移動して所定の開口面積以下に絞り込まれた状態のときに、第３の絞り羽根４が交点の近傍を覆う。また、図４（ｃ）に示す状態から、図４（ｄ）を経由せず、直接図５（ａ）に示す状態に移行しても良い。この場合、第１の駆動機構７と第２の駆動機構８を同時に駆動する。
【００５９】
第３の絞り羽根４が開口を覆う様子に付いて、図６を用いて、詳細に説明する。図６は、図５（ａ）に示す状態における開口の周辺を拡大して示す平面図である。切り欠き部２３、３３とで形成される開口の前後の幅寸法Ａは、開口の左右の幅寸法Ｂ１よりも小さくなる。そこで、左右方向（Ｙ方向）における開口の端部近傍を第３の絞り羽根４で覆う（図６における斜線部）。換言すると、内側壁２３ｄと内側壁３３ｄとが交わる交点Ｄの近傍を、第３の絞り羽根４が覆う。これにより、左右方向（Ｙ方向）において、光束が通過する絞りの大きさが変化する。すなわち、左右方向（Ｙ方向）における絞りの幅寸法Ｂ２は、前後方向（Ｘ方向）における絞りの幅寸法Ａとほぼ同じとなる。
【００６０】
まお、図５（ａ）に示す状態では、第３の絞り羽根４がスライド移動の中間位置に到達している。図５（ａ）に示す状態において、ピン８２は、図１で示した長孔５４、６２における中間部に位置し、且つ長孔４５における右端部（＋Ｙ側の端部）に位置する。
【００６１】
図５（ａ）に示す状態から、第１の駆動機構７のアーム部７１をさらに矢印Ｂ方向に回転させる。これにより、第１の絞り羽根２と第２の絞り羽根３とが互いに近づく方向に移動する。アーム部７１の回転に伴い、第１及び第２の絞り羽根２、３の絞り込み部２３ｂ、３３ｂで形成される開口は、図５（ｂ）及び（ｃ）に示すように、徐々に扁平度を増していく。アーム部７１の回転に合わせて、第２の駆動機構８のアーム部８１を矢印Ｄ方向に回転させる。これにより、第３の絞り羽根４が後方（−Ｘ方向）に移動する。切り欠き部４３の幅寸法Ｔ３は、前方（＋Ｘ側）に向かうにつれて小さくなっている。このため、第３の絞り羽根４が後方（−Ｘ側）に移動する程、絞りの左右の幅寸法が小さくなる。このときも、絞りの前後方向（Ｘ方向）の幅寸法と左右方向（Ｙ方向）の幅寸法とが略等しくなるように、アーム部７１の回転角と、アーム部８１の回転角を対応させる。このようにすることで、第３の絞り羽根４における切り欠き部４３を区画する左右両側の部分が、内側壁２３ｄと内側壁３３ｄの交点近傍を覆う。そのため、開口の扁平度が増加しても、絞りの前後方向（Ｘ方向）の幅寸法と左右方向（Ｙ方向）の幅寸法とが略等しくなるように、切り欠き部４３の台形形状が設計される。
【００６２】
最後に、第１の駆動機構７のアーム部７１をさらに矢印Ｂ方向に回転させて、第１の絞り羽根２と第２の絞り羽根３とを互いに近づく方向に移動させる。そして、絞り込み部２３ｂの後端部分（−Ｘ側の端部）の頂点と絞り込み部３３ｂの前端部分（＋Ｘ側の端部）の頂点を中心点Ｏ上に配置する。これにより、第１の絞り羽根２と第２の絞り羽根３とが最も近づいた状態となる。それと共に、第２の駆動機構８のアーム部８１をさらに矢印Ｄ方向に回転させて、第３の絞り羽根４を後方（−Ｘ側）に移動させる。そして、第３の羽根４の切り欠き部４３の底辺４３ｂを当該中心点Ｏ上に配置する。これにより、図５（ｄ）に示すように、絞りが全閉状態となる。すなわち、光路開口孔５１、６１が第１乃至第３の絞り羽根２乃至４で完全に覆われる。
【００６３】
なお、図５（ｄ）に示す状態において、ピン７２は、図１に示した長孔５２における前端部（＋Ｘ側の端部）に位置し、且つ長孔２５における右側（＋Ｙ側）の端部に位置する。図５（ｄ）に示す状態において、ピン７３は、図１で示した長孔５３における後端部（−Ｘ側の端部）に位置し、且つ長孔３５における左側（−Ｙ側）の端部に位置する。また、図５（ｄ）に示す状態において、図５（ｄ）に示す状態において、ピン８２は、図１で示した長孔５４、６２における後端部（−Ｘ側の端部）に位置し、且つ第３の絞り羽根４の長孔４５における左側（−Ｙ側）の端部に位置する。
【００６４】
このとき、絞り込み部２３ｂの後端部分（−Ｘ側の端部）と絞り込み部３３ｂの前端部分（＋Ｘ側の端部）の頂点とは、中心点Ｏ上で重なる。全閉状態に移行する際に、第１の絞り羽根２と第２の絞り羽根３が接触して、損傷する恐れがある。この損傷を防ぐため、絞り込み部２３ｂの前端部分の頂部及び絞り込み部３３ｂの後端部分の頂部を図７のようにすることが好ましい。図７は、絞り込み部２３ｂの前端部分の頂部を拡大して示す平面図である。図７に示すように、絞り込み部２３ｂの前端の頂点Ｅの両側近傍に頂点Ｆ、頂点Ｇを設ける。そして、三角形ＥＦＧを頂点Ｅが鈍角の三角形とする。第２の絞り羽根３についても同様の形状とする。このようにすることで、第１の絞り羽根２と第２の絞り羽根３が激しく接触して絞り羽根が損傷するのを防ぐことができる。
【００６５】
また、絞りを小さくしていく際に、第３の絞り羽根４は、第２の絞り羽根３と同じ方向（−Ｘ方向）に移動する。このように、Ｚ方向において、互いに隣接する第３の絞り羽根４と第２の絞り羽根３が、絞りを小さくする際に同じ方向（−Ｘ方向）に移動する。このように配置することで、絞り羽根の損傷を防ぐことができる。すなわち、第３の絞り羽根４の切り欠き部４３の底辺４３ｂが第１の絞り羽根２の絞り込み部２３ｂの前端部分の頂点と中心点Ｏ上で重なっても、第１の絞り羽根２と第３の絞り羽根４が接触する可能性を下げることができる。
【００６６】
このような構成の絞り装置１では、第１及び第２の絞り羽根２、３で形成される開口が左右方向に扁平となると、当該開口の左右（Ｙ方向）の端部を第３の絞り羽根４が覆う。さらに、絞り込んでいき、切り欠き部２３、３３で形成される開口の扁平度が増すにつれて、第３の絞り羽根４は、増加した扁平度を減少させるように、当該開口を覆う。そのため、常に絞りの扁平度を略一定とすることができ、円形に近い開口を得ることができる。光軸と当該開口の重心位置とをより近づけることができると言える。
【００６７】
しかも、開口の左右の頂部を第３の絞り羽根４で覆うので、切り欠き部２３ｂの後端部分（−Ｘ側の端部）の頂部や第２の絞り羽根３における切り欠き部３３ｂの前端部分（＋Ｘ側の端部）の頂部を直角より十分大きな角度に形成することができる。このようにすることで、絞りの前後方向（Ｘ方向）の端部周辺をより円弧状に近付けることができる。よって、常に円形に近い開口を得ることができる。そのため、第１及び第２の絞り羽根２、３の前後方向の長さを短くすることができ、その結果、絞り装置１の前後方向の長さを小型化できる。
【００６８】
また、第３の絞り羽根４を、第１及び第２の絞り羽根２、３とは異なる駆動機構を用いて移動させている。そのため、第１の駆動機構７のアーム部７１及び第２の駆動機構８のアーム部８１の長さを短くすることができる。したがって、絞り装置１の左右方向の長さを小型化でき、その結果、絞り装置１の小型化に寄与できる。
【００６９】
加えて、第３の絞り羽根４の切り欠き部４３は、当該切り欠き部４３の開口縁に向かって幅寸法Ｔ３が広くなるように形成されている。そのため、第３の絞り羽根４は、第１及び第２の絞り羽根２、３で形成される開口の扁平度が変化したとしても、絞りの前後の幅寸法と左右の幅寸法とを略等しくすることができる。このとき、制御装置は、アーム部７１の回転角とアーム部８１の回転角が対応するように、駆動モータ７４、８３を制御する。
【００７０】
＜実施の形態２＞
本実施の形態に係る絞り装置について、図８、及び図９を用いて説明する。図８及び図９は、実施の形態２の絞り装置において、絞りが開放した開放状態から絞り込まれていく過程の第１乃至第３の絞り羽根２乃至４の動作を示す図であり、図８は、当該過程の前半部分を示し、図９は後半部分を示している。
本実施の形態では、第１及び第２の絞り羽根２、３の絞り込み部の形状が実施の形態１の絞り込み部の形状と異なっている。なお、本実施の形態の絞り装置の基本的構成は、実施の形態１の絞り装置１と略同様の構成とされているので、重複する説明は省略し、相違点を中心に説明する。本実施の形態では、第１の絞り羽根２の絞り込み部２３ｃを台形形状に形成している。また、第２の絞り羽根３の絞り込み部３３ｃも台形形状に形成している。なお、図８、及び図９では、一部の構成を省略して図示している。
【００７１】
本実施の形態では、図８（ａ）に示す状態が、機器の電源がＯＮとなった初期状態であり、図４（ｂ）に示す状態に対応する。その後の第１乃至第３の絞り羽根２乃至４の動作は、以下のように実施の形態１と対応する。図８（ｂ）に示す状態は、実施の形態１の図４（ｃ）に示す状態に対応する。図８（ｃ）に示す状態は、実施の形態１の図４（ｄ）に示す状態に対応する。図９（ａ）に示す状態は、図５（ａ）に示す状態に対応する。図９（ｂ）に示す状態は、図５（ｃ）に示す状態に対応する。図９（ｃ）に示す状態は、図５（ｄ）に示す状態に対応する。
【００７２】
ここで、本実施の形態の第１及び第２の絞り羽根２、３の絞り込み部２３ｃ、３３ｃは台形形状に形成されている。このため、当該絞り込み部２３ｃ、３３ｃの底辺を中心点Ｏ上に配置してしまうと、底辺同士が接触してしまう可能性がある。すなわち、絞り込み部２３ｃの後側（−Ｘ側）の底辺と、絞り込み部２３ｃの前側（＋Ｘ側）の底辺が接触してしまう恐れがある。そこで、本実施の形態では、絞り込み部２３ｃ、３３ｃの底辺を中心点Ｏ上に配置される直前で止める。すなわち、絞り込み部２３ｃの後側（−Ｘ側）の底辺を絞り込み部３３ｃの前側（＋Ｘ側）の底辺よりも後側（−Ｘ側）で止める。このとき、絞り込み部２３ｃ、３３ｃで絞りきれなかった部分に開口が形成される。第３の絞り羽根４を実施の形態１に比べて後方に移動させることで、当該開口を全閉状態とする。このような動作を実現するため、第３の絞り羽根４を第１及び第２の絞り羽根２、３と独立に移動させている。すなわち、第１及び第２の絞り羽根２、３の駆動源である第１の駆動機構７とは別の第２の駆動機構８を第３の絞り羽根４の駆動源としている。こうすることで、全閉状態にする際に、第１の絞り込み羽根２と第２の絞り羽根３の損傷を確実に防ぐことができる。
【００７３】
しかも、本実施の形態の絞り込み部２３ｃ、３３ｃは台形形状であるので、実施の形態１の絞り込み部２３ｂ、３３ｂに比べて、絞り込み部２３ｃ、３３ｃを小型化することができる。つまり、実施の形態１の絞り込み部２３ｂにおける後端部分（−Ｘ側端部）の頂部、及び絞り込み部３３ｂにおける前端部分（＋Ｘ側端部）の頂部近傍を省略して形成することができる。そのため、絞り装置１の前後方向（Ｘ方向）の長さを小型化でき、絞り装置１の更なる小型化に寄与できる。
【００７４】
＜実施の形態３＞
本実施の形態に係る絞り装置について、図１０、及び図１１を用いて説明する。図１０及び図１１は、実施の形態３の絞り装置において、絞りが開放した開放状態から絞り込まれていく過程の第１乃至第３の絞り羽根の動作を示す図であり、図１０は、当該過程の前半部分を示し、図１１は後半部分を示している。
本実施の形態では、第３の絞り羽根４の切り欠き部の形状を変えている。なお、本実施の形態の絞り装置の基本的構成は、実施の形態１の絞り装置１と略同様の構成とされているので、重複する説明は省略し、相違点を中心に説明する。なお、図１０、及び図１１では、一部の構成を省略して図示している。本実施の形態では、第３の絞り羽根４の切り欠き部４３を、前方に向かって段階的に幅寸法が広くなる形状としている。つまり、第３の絞り羽根４の切り欠き部４３を、当該切り欠き部４３の開口縁に向かって段階的に幅寸法が広くなる形状としている。
【００７５】
図１０（ａ）に示すように、本実施の形態の切り欠き部４３は、第１部分４３ｃ、第２部分４３ｄ、第３部分４３ｅを備える。第１部分４３ｃは、幅寸法Ｔ４を備える。第２部分４３ｄは、幅寸法Ｔ５を備える。第３部分４３ｅは、幅寸法Ｔ６を備える。幅寸法Ｔ４は一定の幅となっている。幅寸法Ｔ５、Ｔ６についても同様に、一定となっている。そして、切り欠き部４３の幅寸法が段階的に狭くなるように、幅寸法Ｔ４、Ｔ５、Ｔ６が設定されている。つまり、幅寸法Ｔ５は、幅寸法Ｔ４より幅寸法が狭い。幅寸法Ｔ６は、幅寸法Ｔ５より幅寸法が狭い。そして、幅寸法Ｔ５は、幅寸法Ｔ４と幅寸法Ｔ６との平均値とされている。切り欠き部４３を区画する左右の内側壁４３ｆは、中心線Ｎに対して、線対称になっている。
【００７６】
本実施の形態では、図１０（ａ）に示す状態が、機器の電源がＯＮとなった初期状態であり、図４（ｂ）に示す状態に対応する。そして、図１０（ｂ）に示す状態が実施の形態１の図４（ｃ）の状態に対応する。その後、第１の駆動機構７の駆動モータ７４を回転駆動させ、第１及び第２の絞り羽根２、３を互いに近接するように移動させる。すると、絞り込み部２３ｂ、３３ｂで形成される開口が左右方向に扁平となる。そこで、第２の駆動機構８の駆動モータ８３を回転駆動させ、第３の絞り羽根４を後方に移動させる。これにより、図１０（ｃ）に示す状態となる。この状態では、第３の絞り羽根４における第１部分４３ｃの左右両側の部分で当該開口の左右の頂部を覆う。すなわち、内側壁２３ｄと内側壁３３ｄとが交わる交点近傍が、第３の絞り羽根４で覆われる。このとき、絞りの左右方向（Ｙ方向）の大きさは、幅寸法Ｔ４と等しくなっている。
【００７７】
その後、第１の駆動機構７の駆動モータ７４を回転駆動させ、第１及び第２の絞り羽根２、３を互いに近づく方向に移動させていく。このとき、第１及び第２の絞り羽根２、３の絞り込み部２３ｂ、３３ｂで形成される開口の扁平度がある程度大きくなるまで、第３の絞り羽根４を図１０（ｃ）の状態で維持する。従って、絞りの左右方向（Ｙ方向）の大きさは、幅寸法Ｔ４と等しいままとなっている。
【００７８】
さらに第１の駆動機構７の駆動モータ７４を回転駆動させ、第１及び第２の絞り羽根２、３を互いに近づくように移動させる。第１及び第２の絞り羽根２、３の絞り込み部２３ｂ、３３ｂで形成される開口の扁平度がある程度大きくなると、第２の駆動機構８の駆動モータ８３を回転駆動させる。これにより、第３の絞り羽根４が後方（−Ｘ側）に移動して、図１１（ａ）に示す状態となる。この状態では、第３の絞り羽根４における第２部分４３ｄの左右両側の部分で当該開口の左右の頂部を覆う。すなわち、内側壁２３ｄと内側壁３３ｄとが交わる交点近傍が、第３の絞り羽根４で覆われる。このとき、絞りの左右方向（Ｙ方向）の大きさは、幅寸法Ｔ５と等しくなっている。
【００７９】
その後、第１の駆動機構７の駆動モータ７４を回転駆動させ、第１及び第２の絞り羽根２、３を互いに近づく方向に移動させる。このとき、第１及び第２の絞り羽根２、３の絞り込み部２３ｂ、３３ｂで形成される開口の扁平度がしきい値を越えるまで、第３の絞り羽根４を図１１（ａ）の状態で維持する。従って、絞りの左右方向（Ｙ方向）の大きさは、幅寸法Ｔ５と等しいままとなっている。
【００８０】
さらに第１の駆動機構７の駆動モータ７４を回転駆動させ、第１及び第２の絞り羽根２、３を互いに近づく方向に移動させる。すると、第１及び第２の絞り羽根２、３の絞り込み部２３ｂ、３３ｂで形成される開口の扁平度がさらに大きくなる。開口の扁平度がしきいち値を越えたら、第２の駆動機構８の駆動モータ８３を回転駆動させる。これにより、第３の絞り羽根４が後方（−Ｘ側）に移動して、図１１（ｂ）に示す状態となる。第３の絞り羽根４における第３部分４３ｅの左右両側の部分で当該開口の左右の頂部を覆う。すなわち、内側壁２３ｄと内側壁３３ｄとが交わる交点近傍が、第３の絞り羽根４で覆われる。このとき、絞りの左右方向（Ｙ方向）の大きさは、幅寸法Ｔ６と等しくなっている。
【００８１】
その後、第１の駆動機構７の駆動モータ７４を回転駆動させ、第１及び第２の絞り羽根２、３を互いに近づける方向に移動させる。このとき、第３の絞り羽根４は図１１（ｂ）の状態で維持する。従って、絞りの左右方向（Ｙ方向）の大きさは、幅寸法Ｔ６と等しいままとなっている。
【００８２】
最後に、絞りを全閉状態とするため、第１の駆動機構７の駆動モータ７４を回転駆動させる。本実施の形態では、実施の形態１と同様に、第１の絞り羽根２における絞り込み部２３ｂの後端部分（−Ｘ側の端部）の頂点、及び第２の絞り羽根３における絞り込み部３３ｂの前端部分（＋Ｘ側の端部）の頂点を光路開口孔５１、６１の中心点Ｏに配置する。このようにすることで、第１の絞り羽根２と第２の絞り羽根３とが、光路開口孔５１、６１を完全に覆い、絞りが全閉状態となる。このとき、第３の絞り羽根４は図１１（ｂ）の状態で維持する。
【００８３】
このように、第３の絞り羽根４の切り欠き部４３を、当該切り欠き部４３の開口縁に向かって段階的に幅寸法が広くなる形状としている。こうすることで、第２の駆動機構８の駆動モータ８３を一定のステップで静止させる制御が可能となる。そのため、絞り装置の制御を簡略化できる。なお、実施の形態３では、切り欠き部２３、３３を実施の形態１と同様の形状としたが、実施の形態２で示したように、台形状としてもよい。
【００８４】
本発明は上記実施の形態に限られたものではなく、趣旨を逸脱しない範囲で適宜変更することが可能である。
上記実施の形態では、第３の絞り羽根４を一枚の板状部材で構成しているが、この限りでない。第３の絞り羽根４は左右に分割された構成でも良い。この場合、第３の絞り羽根４を左右方向（Ｙ方向）に移動する構成としても良い。
上記実施の形態では、第１及び第２の絞り羽根２、３の駆動源と、第３の絞り羽根４の駆動源とを分けているが、一つの駆動源で第１乃至第３の絞り羽根２乃至４を移動させても良い。
上記実施の形態では、第３の絞り羽根４の切り欠き部の内側壁４３ｆを直線状に形成しているが、円弧状に形成しても良い。
上記実施の形態では、上方から下方に向かって第１乃至３の絞り羽根２乃至４の順で上下に重ねているが、上方から下方に向かって第２の絞り羽根３、第１に絞り羽根２、第３の絞り羽根４の順に上下に重ねても良い。
また、第１の絞り羽根２、及び第２の絞り羽根３にそれぞれ切り欠き部２３、３３を設けて開口を形成したが、本発明はこれに限られるものではない。例えば、第１の絞り羽根２、及び第２の絞り羽根３にそれぞれ所定の形状の貫通孔を設けて、その貫通孔を重ね合わせることで、開口を形成しても良い。同様に、第３の絞り羽根４の切り欠き部４３の代わりに貫通孔を設け、左右方向に絞りを規定する開口を第３の絞り羽根４に形成しても良い。また、絞り装置１を光軸に対して傾斜して、配置しても良い。
【符号の説明】
【００８５】
１  絞り装置
２  第１の絞り羽根
２１  本体部
２２  アーム部
２３  切り欠き部、２３ａ  ストレート部、２３ｂ  絞り込み部、２３ｄ  内側壁
２４  突出部
２５  長孔
３  第２の絞り羽根
３１  本体部
３２  アーム部
３３  切り欠き部、３３ａ  ストレート部、３３ｂ  絞り込み部、３３ｄ  内側壁
３４  突出部
３５  長孔
４  第３の絞り羽根
４１  本体部
４２  アーム部
４３  切り欠き部
４４  突出部
４５  長孔
４３ｃ  第１部分、４３ｄ  第２部分、４３ｅ  第３部分、４３ｆ  内側壁
５  第１の地板、５１  光路開口孔、５２〜５４  長孔
６  第２の地板、６１  光路開口孔、６２  長孔
７  第１の駆動機構
７１  アーム部、７１ａ  連結孔
７２、７３  ピン
７４  駆動モータ、７４ａ  回転軸
８  第２の駆動機構
８１  アーム部、８１ａ  連結孔
８２  ピン
８３  駆動モータ、８３ａ  回転軸
【図１】
2012088593.tif 000003
【図２】
2012088593.tif 000004
【図３】
2012088593.tif 000005
【図４】
2012088593.tif 000006
【図５】
2012088593.tif 000007
【図６】
2012088593.tif 000008
【図７】
2012088593.tif 000009
【図８】
2012088593.tif 000010
【図９】
2012088593.tif 000011
【図１０】
2012088593.tif 000012
【図１１】
2012088593.tif 000013
【図１２】
2012088593.tif 000014
【図１３】
2012088593.tif 000015